(57)【要約】      （修正有）【課題】アルミサッシ窓を閉めた時の窓枠の面積を縮小し、景観を遮る部分を減らすことが可能な、アルミサッシ窓の閉合構造を提供する。【解決手段】四枚のアルミサッシ窓片２，３等と、建築物の開口に結合されるとともに四枚のアルミサッシ窓片を設けスライドさせるための窓枠とからなる。四枚のアルミサッシ窓片の内の二枚のアルミサッシ窓片における相互に向き合う側には、それぞれ、垂直外フレーム１１及び垂直内フレーム１５が結合され、垂直外フレームの一側にはガラス嵌合溝１１１が設けられ、ガラス嵌合溝の裏側は凸ブロック１１３を備え、ガラス嵌合溝の片側は延伸して凸ブロックと同じ方向の遮蔽保護片１１２が形成され、垂直内フレームの一側にはガラス嵌合溝が設けられ、ガラス嵌合溝の裏側は凹溝１５２を備える。それにより、二枚のアルミサッシ窓片を左右に閉じ合わせた時、垂直外フレームの凸ブロックが垂直内フレームの凹溝内に嵌合され、垂直外フレームの遮蔽保護片内に垂直内フレームは完全に収まる。【選択図】図３
0003173161.tif 000002
【実用新案登録請求の範囲】
【請求項１】
四枚のアルミサッシ窓片と、建築物の開口に結合されるとともに四枚のアルミサッシ窓片を設けスライドさせるための窓枠とからなるアルミサッシ窓の閉合構造であって、
四枚のアルミサッシ窓片の内の二枚のアルミサッシ窓片における相互に向き合う側には、それぞれ、垂直外フレーム及び垂直内フレームが結合され、垂直外フレームの一側にはガラス嵌合溝が設けられ、ガラス嵌合溝の裏側は凸ブロックを備え、ガラス嵌合溝の片側は延伸して凸ブロックと同じ方向の遮蔽保護片が形成され、垂直内フレームの一側にはガラス嵌合溝が設けられ、ガラス嵌合溝の裏側は凹溝を備え、
それにより、二枚のアルミサッシ窓片を左右に閉じ合わせた時、垂直外フレームの凸ブロックが垂直内フレームの凹溝内に嵌合され、垂直外フレームの遮蔽保護片内に垂直内フレームは完全に収まることを特徴とする、アルミサッシ窓の閉合構造。
【請求項２】
垂直外フレームの遮蔽保護片は、折り曲げ角を備えることを特徴とする、請求項１に記載のアルミサッシ窓の閉合構造。
【請求項３】
垂直外フレームの凸ブロックはＨ形状であり、垂直内フレームの凹溝内には、凸ブロックの形状に合わせて設けられた気密部が嵌合されることを特徴とする、請求項１に記載のアルミサッシ窓の閉合構造。
【請求項４】
垂直内フレームの凹溝の隣側には、更に、斜辺結合溝を備える延長部が設けられ、垂直外フレームの遮蔽保護片の長さは、垂直内フレームの長さに合わせて設定され、遮蔽保護片の幅は延長部に合わせて設定されることを特徴とする、請求項１に記載のアルミサッシ窓の閉合構造。
【請求項５】
垂直内フレームの斜辺結合溝には、更に、気密部が結合されることを特徴とする、請求項４に記載のアルミサッシ窓の閉合構造。
【考案の詳細な説明】
【技術分野】
【０００１】
本考案は視線が遮られず視野が広くなるアルミサッシ窓の閉合構造に関し、特に建築物の出入り口やそれに類する構造に適用されるアルミサッシ窓の閉合構造に関する。
【背景技術】
【０００２】
景色を見る窓を製作するのによく使われる方法は二種類ある。一つ目は、強化ガラスで建築物に設けられた開口を塞いで、開くことができない純粋に景色を見る窓を形成させる方法である。もう一つの方法は、透明ガラスに嵌め込まれた数枚のアルミサッシ窓枠片を建築物開口に可動に設け、開閉可能な窓を形成させる方法であり、この景色を見る窓によって広大な視野を得ることができる。下端が床面まで達している大きな窓を例にとって説明すると、図１に示すように、従来の下端が床面まで達している大きな窓は、ガラスに嵌め込まれた四枚のアルミサッシ窓片ａ、ｂ、ｃ、ｄを建築物の開口枠ｅ内に可動に結合させることで、使用者はガラスを通して外の美しい景色を眺めることができる。また、アルミサッシ窓片ｂ、ｃの互いに向き合う側が閉じ合わせた時に相互にぶつかるのを防ぐために、垂直フレームｂ１、ｃ１の互いに向き合う側が延伸して形成された嵌合溝に気密部ｂ２、ｃ２を嵌合させる。それにより、図２に示すように、アルミサッシ窓片ｂ、ｃを閉じ合わせた時、二枚の垂直フレームｂ１、ｃ１と気密部ｃ２は、幅が「ｗ」の大きな面積の柱体を形成するため、景色を見る窓の視野が阻害され、理想的ではない。
【考案の概要】
【考案が解決しようとする課題】
【０００３】
そこで、本考案は、アルミサッシ窓を閉めた時の窓枠の面積を縮小し、景観を遮る部分を減らすことが可能な、アルミサッシ窓の閉合構造を提供することを目的とする。
【課題を解決するための手段】
【０００４】
上述の目的を達成するために、本考案によるアルミサッシ窓の閉合構造は、四枚のアルミサッシ窓片と、建築物の開口に結合されるとともに四枚のアルミサッシ窓片を設けスライドさせるための窓枠とからなる。四枚のアルミサッシ窓片の内の二枚のアルミサッシ窓片における相互に向き合う側には、それぞれ、垂直外フレーム及び垂直内フレームが結合され、垂直外フレームの一側にはガラス嵌合溝が設けられ、ガラス嵌合溝の裏側は凸ブロックを備え、ガラス嵌合溝の片側は延伸して凸ブロックと同じ方向の遮蔽保護片が形成され、垂直内フレームの一側にはガラス嵌合溝が設けられ、ガラス嵌合溝の裏側は凹溝を備える。それにより、二枚のアルミサッシ窓片を左右に閉じ合わせた時、垂直外フレームの凸ブロックが垂直内フレームの凹溝内に嵌合され、垂直外フレームの遮蔽保護片内に垂直内フレームは完全に収まる。
【０００５】
上述したアルミサッシ窓の閉合構造の垂直外フレームの遮蔽保護片は、折り曲げ角を備える。
【０００６】
上述したアルミサッシ窓の閉合構造の垂直外フレームの凸ブロックはＨ形状であり、垂直内フレームの凹溝内には、凸ブロックの形状に合わせて設けられた気密部が嵌合される。
【０００７】
上述した垂直内フレームの凹溝の隣側には、更に、斜辺結合溝を備える延長部が設けられ、垂直外フレームの遮蔽保護片の長さは、垂直内フレームの長さに合わせて設定され、遮蔽保護片の幅は延長部に合わせて設定される。
【０００８】
上述したアルミサッシ窓の閉合構造の垂直内フレームの斜辺結合溝には、更に、気密部が結合される。
【図面の簡単な説明】
【０００９】
【図１】従来のアルミサッシ窓を閉めた状態を示した平面図である。
【図２】従来のアルミサッシ窓を閉めた状態の一部を示した断面図である。
【図３】本考案の実施例１の横向き断面図である。
【図４】本考案の実施例２をアルミサッシ窓に結合させ、アルミサッシ窓を開けた状態の外観を示した斜視図である。
【図５】本考案の実施例２をアルミサッシ窓に結合させ、アルミサッシ窓を閉じた状態の外観を示した斜視図である。
【図６】図４の一部を示した断面図である。
【図７】本考案の実施例２の使用状態を示した説明図である。
【図８】アルミサッシ窓の開閉動作を示した図６の断面図である。
【図９】アルミサッシ窓の開閉動作を示した図６の断面図である。
【考案を実施するための形態】
【００１０】
（実施例１）
図３に示すように、本考案のアルミサッシ窓１は、垂直外フレーム１１と、垂直内フレーム１５とからなる。その内、垂直外フレーム１１は、ガラスと結合されるガラス嵌合溝１１１を備え、ガラス嵌合溝１１１の裏側にはＨ型嵌合凸ブロック１１３が設けられ、ガラス嵌合溝１１１の片側は、延伸してＨ型嵌合凸ブロック１１３と同じ方向の遮蔽保護片１１２を形成する。
【００１１】
垂直内フレーム１５も同様にガラス嵌合溝１５１を備える。ガラス嵌合溝１５１の裏側にはＵ型凹溝１５２が設けられ、Ｕ型凹溝１５２の両側端部及び両側の底部に近い箇所には凸縁が設けられてそれぞれストッパー縁を形成し、底部に嵌合ブロックが設けられた気密部１５３が嵌合される。
【００１２】
アルミサッシ窓１の垂直外フレーム１１及び垂直内フレーム１５は、それぞれ、ガラス嵌合溝１１１、１５１を介して第一アルミサッシ窓片２及び第二アルミサッシ窓片３の互いに向き合う側に嵌合される。それにより、第一及び第二アルミサッシ窓片２、３を閉じ合わせた時、垂直外フレーム１１のＨ型嵌合凸ブロック１１３は垂直内フレーム１５のＵ型凹溝１５２内に嵌め込まれ、Ｈ型嵌合凸ブロック１１３の前端部は、気密部１５３に接触するため、Ｕ型凹溝１５２にぶつからない。また、第一及び第二アルミサッシ窓片２、３を閉じ合わせた時、垂直内フレーム１５は、垂直外フレーム１１の遮蔽保護片１１２の後方に完全に進入する。
【００１３】
（実施例２）
図４から図６は、本考案の実施例２を示している。アルミサッシ窓１の垂直内フレーム１５はガラス嵌合溝１５１を備え、ガラス嵌合溝１５１の裏側にはＵ型凹溝１５２が設けられ、Ｕ型凹溝１５２の両側端部及び両側の底部に近い箇所には凸縁が設けられてそれぞれストッパー縁を形成し、底部に嵌合ブロックが設けられた気密部１５３が嵌合される。また、Ｕ型凹溝１５２の片側には斜辺結合溝１５５が設けられ、ガラス嵌合溝１５１の片側には延長部１５４が設けられ、延長部１５４の端部には折り曲げ角が設けられ、延長部１５４の末端と斜辺結合溝１５５の他端は連結され、斜辺結合溝１５５内にはもう一つの気密部１５６が結合される。
【００１４】
垂直外フレーム１１は、ガラスと結合されるガラス嵌合溝１１１を備え、ガラス嵌合溝１１１の裏側にはＨ型嵌合凸ブロック１１３が設けられ、ガラス嵌合溝１１１の片側には水平延長部１１４が設けられ、水平延長部１１４は垂直内フレーム１５の延長部１５４に合わせて設けられ、水平延長部１１４の末端には折り曲げ角が設けられ、折り曲げ角が延伸してＨ型嵌合凸ブロック１１３と同じ方向の遮蔽保護片１１２を形成する。
【００１５】
第一、第二アルミサッシ窓片２、３には、主に、ガラス２３、３３が設けられ、ガラス２３、３３の上、下縁には、水平フレーム２１、３１が結合され、ガラス２３、３３の一側には垂直辺２２、３２が結合され、アルミサッシ窓１の垂直外フレーム１１は、ガラス嵌合溝１１１によって第一アルミサッシ窓片２残った側に嵌合され、また、垂直内フレーム１５は、ガラス嵌合溝１５１によって第二アルミサッシ窓片３の対応する側に嵌合される。それにより、第一、第二アルミサッシ窓片２、３を閉じたい時、垂直内フレーム１５の水平方向に突出させて設けられた延長部１５４によって、使用者が手にもちやすくなり、それと同時に、斜辺結合溝１５５に結合された気密部１５６によって、延長部１５４は垂直外フレーム１１の遮蔽保護片１１２に直接ぶつかることがない。以上の構造により、第一及び第二アルミサッシ窓片２、３を閉じた時に、垂直内フレーム１５は垂直外フレーム１１遮蔽保護片１１２の後方に完全に進入し、二枚のアルミサッシ窓片２、３を並べた時にアルミサッシ窓１が占める面積を減らすことができる。
【００１６】
図７から図９に示すように、本考案のアルミサッシ窓１を結合した第一アルミサッシ窓片２と第二アルミサッシ窓片３を第三アルミサッシ窓片４、第四アルミサッシ窓片５と一緒に建築物開口枠７に可動に結合すると、第一から第四アルミサッシ窓片２、３、４、５を建築物開口枠７内でスライドさせることができる。また、使用する際、通常の状態では、第三及び第四アルミサッシ窓片４、５は動かさず、第一アルミサッシ窓片２及び第二アルミサッシ窓片３をスライドさせて開閉を行う。第一アルミサッシ窓片２及び第二アルミサッシ窓片３を閉めた時、第一から第四アルミサッシ窓片２、３、４、５の枠の幅「ｘ」はいずれも同じであり、従来のアルミサッシ窓片ｂ、ｃを閉めた時に枠の幅が広くなりすぎる欠点を解決することができる。
【符号の説明】
【００１７】
１、    アルミサッシ窓
１１、  垂直外フレーム
１１１、ガラス嵌合溝
１１２、遮蔽保護片
１１３、Ｈ型嵌合凸ブロック
１１４、水平延長部
１５、  垂直内フレーム
１５１、ガラス嵌合溝
１５２、Ｕ型凹溝
１５３、気密部
１５４、延長部
１５５、斜辺結合溝
１５６、気密部
２、    第一アルミサッシ窓片
２１、  水平フレーム
２２、  垂直辺
２３、  ガラス
３、    第二アルミサッシ窓片
３１、  水平フレーム
３２、  垂直辺
３３、  ガラス
４、    第三アルミサッシ窓片
５、    第四アルミサッシ窓片
７、    建築物開口枠
ａ、ｂ、ｃ、ｄアルミサッシ窓片
ｅ、    枠
ｂ１、ｃ１    垂直フレーム
ｂ２、ｃ２    気密部
【図１】
0003173161.tif 000003
【図２】
0003173161.tif 000004
【図３】
0003173161.tif 000005
【図４】
0003173161.tif 000006
【図５】
0003173161.tif 000007
【図６】
0003173161.tif 000008
【図７】
0003173161.tif 000009
【図８】
0003173161.tif 000010
【図９】
0003173161.tif 000011